【事件の表示】
　特願２００３−１６５３０「フローサイトメータ」拒絶査定不服審判事件〔平成１５年１０月１０日出願公開、特開２００３−２８７４９１〕について、次のとおり審決する。
【結　論】
　本件審判の請求は、成り立たない。
【理　由】
１．手続の経緯
　本願は、平成１５年１月２４日の出願であって、平成１９年１１月２６日付けで拒絶査定がなされ、これに対し、平成１９年１２月２７日に拒絶査定不服審判の請求がなされるとともに、同日付けで手続補正がなされたものである。
　
２．平成１９年１２月２７日付けの手続補正についての補正の却下の決定
［補正の却下の決定の結論］
　　平成１９年１２月２７日付けの手続補正を却下する。
［理由］
（１）本件補正の内容
　本件補正により特許請求の範囲は以下のとおり補正された。（下線は補正箇所を示す。）
「【請求項１】
粒子を含有する試料液を受入れて試料液流を形成するフローセルと、
フローセル中の試料液流に光を照射する光源と、
試料液中の粒子からの光情報を検出して電気信号に変換する受光素子と、
試料液の温度を検出する温度センサと、
電気信号を処理して分析する分析部と、
温度センサの出力を受けて
、
　【請求項２】
受光素子で得られた電気信号を増幅する増幅部を備え、制御部は温度センサの出力を受けて増幅部を制御し、分析部は増幅された電気信号を処理して分析する請求項１記載のフローサイトメータ。
　【請求項３】
増幅部は、入力されるアナログ信号を所定ビットのデジタル信号に変換するA/D変換部を備え、制御部はそのA/D変換部の入力アナログ信号と出力デジタル信号との比を制御する請求項２記載のフローサイトメータ。
　【請求項４】
制御部は、温度に対する増幅度を表す関係式を予め格納したメモリを備え、その関係式に基づいて増幅部を制御する請求項２又は３に記載のフローサイトメータ。
　【請求項５】
関係式が測定対象粒子の種類によって異なる請求項４記載のフローサイトメータ。
　【請求項
６
試料液中の粒子からの光情報は、粒子が光源からの照射光によって励起されて発する蛍光の情報を含む請求項１〜５の何れか１項に記載のフローサイトメータ。
　【請求項
７
フローセルは、試料
シース
ある、請求項１〜７の何れか１項に記載の
　【請求項８】
シース
試料
シース
　【請求項
９
温度センサは、実質的にフローセルのオリフィス部を通過する試料液又はシース液の温度を検出する、請求項
１
８
　【請求項
１０
温度センサはサーミスタからなり、試料液の中に露出するようにフローセルの出口に設置されてなる請求項
１
９
　【請求項１１】
試料
１
１０
　
（２）補正の目的について
　ア　請求項１の「温度センサの出力を受けて」と「受光素子で得られた電気信号」との間に、読点「、」を挿入する補正は、読点の脱落を補正するものであり、誤記の訂正を目的としたものといえる。
　イ　請求項７は、補正前の請求項８
　「【請求項８】粒子含有液を受入れ粒子含有液をシース液で包んで試料液を形成して排出するフローセルと、
フローセル中の試料液に光を照射する光源と、
試料液中の粒子からの光情報を検出して電気信号に変換する受光素子と、
試料液又はシース液の温度を検出する温度センサと、
電気信号を処理して分析する分析部と、
温度センサの出力を受けて受光素子で得られた電気信号または分析部で得られた分析結果を補正する制御部と、を備えたフローサイトメータ。」
を独立形式請求項から請求項１等を引用する引用形式請求項に補正したものであるが、独立形式請求項を引用形式請求項とする補正は、請求項の削除、特許請求の範囲の減縮、誤記の訂正、明瞭でない記載の釈明のいずれの目的にも該当しないものである。
　そして、「フローセル」を「
シース
　ウ　上記以外の補正は、上記「イ」の補正に伴い、重複する請求項を削除し又整合性をとるためにした補正であり、請求項の削除又は明瞭でない記載の釈明を目的としたものである。
　なお、この請求項を削除する補正に伴い、上記「イ」に記載した独立形式請求項を引用形式請求項とする補正の必要性が生じたものではないことは明らかである。
　以上のとおり、本件補正は、平成１８年法律第５５号改正附則第３条第１項によりなお従前の例によるとされる同法による改正前の特許法第１７条の２第４項第１号ないし第４号のいずれの目的にも該当しない補正を含むものである。
　
　したがって、本件補正は、平成１８年改正前特許法第１７条の２第５項で準用する同法第１２６条第５項の規定に違反するものであり、特許法第１５９条第１項で読み替えて準用する特許法第５３条第１項の規定により却下されるべきものである。
　
２．本願発明について
　平成１９年１２月２７日付けの手続補正は上記のとおり却下されたので、本願の請求項１に係る発明（以下、同項記載の発明を「本願発明」という。）は、平成１８年１２月１４日付け手続補正書の特許請求の範囲の請求項１に記載された事項により特定される、以下のとおりのものである。
　「粒子を含有する試料液を受入れて試料液流を形成するフローセルと、
フローセル中の試料液流に光を照射する光源と、
試料液中の粒子からの光情報を検出して電気信号に変換する受光素子と、
試料液の温度を検出する温度センサと、
電気信号を処理して分析する分析部と、
温度センサの出力を受けて受光素子で得られた電気信号または分析部で得られた分析結果を補正する制御部と、を備えたフローサイトメータ。」
　
（１）引用刊行物の記載事項
　原査定の拒絶の理由に引用された、本願優先日前に頒布された刊行物である、刊行物１及び刊行物２には以下の事項がそれぞれ記載されている。以下、下線は当審で付与した。
　
（刊行物１：特開平１０−１３２７３２号公報の記載事項）
（1a）「【０００１】
【発明の属する技術分野】本発明は、
テストサンプルの分析を実行するための分析装置
フローサイトメータ
を含んでいる
（1b）「【００７７】レーザ光学及び検出システム
本発明の装置は、ＲＢＣ、ＢＡＳＯ、及びＲＥＴＩＣ方法において使用するためのレーザ光学システムを含んでいる。
レーザ光学システムの図解が図１に示されている
光学システム１００は、血球のような薄い浮遊粒子の流れが分析のために通過するチャンネルを有するフローセル１１０、フィルタされ、平行化され、かつ成形されたレーザビームＢをフローセル１１０に与えるためイルミネータアセンブリ１３０（図１には詳細に図示されず）、及びセルにより散乱されかつ吸収されるビームに応答して光を測定するための検出器システム１６４から構成される。
セル浮遊は、シース液体の薄膜状フロー流れの中心内にノズルを通して導入される
レーザビームＢが、セル浮遊流れの上にぶつかる
レーザビームＢをイルミネータアセンブリ１３０から、かつ適切な強度でセル浮遊に、そしてそれを通して移動させて、散乱及び非散乱レーザ光を検出
（1c）「【０１３１】・・・好適モードにおいて、この装置は、
人の血液を分析するために使用されるけれども、それはまた、特別の試薬（蛍光又は非蛍光）によって反応する微粒子を有する非血液サンプルと共に、他の生物の血液を分析するために使用して、サンプルの１以上のサブポピュレーションの分離、定量、又は分析を、そして好ましくは微粒子の識別を可能にする独特の光吸収及び散乱パターンを得ることができるということを理解すべきである
（1d）「【０１３２】エレクトロニクス
概観
図１１Ａ−図１１Ｅは、本発明の一具体例のエレクトロニクスアーキテクチャー１０１を例示する簡単化されたブロック図である
【０１３３】
分析装置コントローラ１０５は
データ取得インターフェースボード（ＤＡＴＡＣ  ＩＢ）１１４に接続された３８６ＣＰＵ及びメモリ１０７から構成される
ＤＡＴＡＣＩＢ１１４は、ペルオキシダーゼ（Ｐｅｒｏｘ）光学アセンブリ１１６及びＲＢＣ光学アセンブリ１１７により発生した信号を処理するデータ取得ボード（”ＤＡＴＡＣ”）１１５に接続されている
（1e）「【０１４４】ワークステーション１０３により開始されるような一連のテストの初めに、システムＣＰＵ１０７は、種々のノードにコマンドを発生して、
赤血球（ＲＢＣ）及び血小板（ＰＬＴ）（集合的にＲＢＣ／ＰＬＴ）、網状赤血球（ＲＥＴＩＣ）、ヘモグロビン（ＨＧＢ）、ペルオキシダーゼ（ＰＥＲＯＸ）及び好塩基球（ＢＡＳＯ）チャンネルからの生データを取得する
（1f）「【０１４７】
データ取得ボード図１１Ａに示されたＤＡＴＡＣボード１１５は、フローサイトメータ光散乱テストから発生した信号を処理して、赤血球数、容量、及びヘモグロビン含有量、血小板数及び容量を測定する
特に、データは、サンプルセットを構成する多数のセルのそれぞれに対する低角度低利得、高角度低利得、吸収信号のためＤＡＴＡＣ１１５により集められる。疑似吸収補正前の網状赤血球サイトグラム（cytogram）が、高角度散乱及び吸収データを使って発生する。ＲＢＣサイトグラムが、高角度散乱及び低角度散乱データを使って発生する。
【０１５０】
ＤＡＴＡＣ１１５は、信号増幅、アナログ及びディジタル処理及びテスト、又は診断機能を実行する
（1g）「【０１５２】・・・フローセル１１０（図１４に図示せず）を通過するＲＢＣ及び網状赤血球は、低及び高角度で光を散乱し、かつ
着色された網状赤血球はまた、一定割合の光を吸収する
（1h）図1には、レーザービームソース（１３１）、レーザービームが照射されるフローセル（１１０）、吸収検出器（３１５）及び散乱検出器（３４５、３４６）を含む検出器システム（１６４）を備えたレーザー光学及び検出システムが図示されている。（第５８頁【図１】）
（1i）図１１Ａには、光学アセンブリ（１１６、１１７）と接続したデータ取得ボード（１１５）が、分析コントローラ（１０５）と接続した電子アーキテクチャーの回路ブロック図が示されている。（第６４頁【図１１Ａ】）
　
（刊行物２：国際公開第０１／１２８５４号の記載事項の日本語訳、日本語対応公報である特表２００３−５０７６９６号公報による）
（2a）「単一の融解曲線から得られる情報量を増加させるために多色解析が用いられるとはいえ、多色解析には、チャンネル間での蛍光の重複を修正するための各種クロストーク補正技法（crosstalk compensation technique）を用いる必要がある。
これらの技法は、元々、フローサイトメトリーを使用する、細胞の多パラメーター蛍光監視において開発されたものである。Ｂａｇｗｅｌｌ，Ｃ．Ｂ．とＡｄａｍｓ，Ｅ．Ｇ．（１９９３）Ａｎｎ．Ｎ．Ｙ．Ａｃａｄ．Ｓｃｉ．６７７，１６７〜１８４。これらの技法の有用性が確認された一方、フローサイトメトリーでは温度は一定に保たれているため、これらの技法は温度依存性クロスオーバー効果（crossover effects）の変化に関する修正がなされていない
融解曲線解析においては、温度は４０℃から９５℃に亘るため、温度依存性クロスオーバー効果を修正しなければ顕著な誤差が起こり得る。ハイブリダイゼーションプローブを用いて多色解析を適用するためには、様々なゲイン設定に対して、また、チャンネル間での蛍光オーバーラップに及ぼす温度の影響に対して、アルゴリズムを手当てすることが必要である
（2b）「
本アプローチは、各蛍光物質の温度依存性を明確にするために、温度勾配（temperature ramp）の際において較正ランを行うものである。この温度依存性は、次いで３次多項式を用いて近似される。次に、後続のテストランにおける蛍光値獲得（acquisition）のためには、獲得時の温度を、その温度での蛍光較正係数に補間するために用いる
（2c）「  本発明の他の実施形態においては、分析対象物は核酸遺伝子座であり、蛍光検出体は対応する座に特異的である。蛍光検出体は、適切な波長の光で励起される。
蛍光は、ある温度範囲に亘って測定される
シグナル値は、温度依存性に鑑みて補正される
　
（２）対比・判断
　上記刊行物１の摘記事項（上記(1a)〜(1i)）から、刊行物１には、
「血球のような薄い浮遊粒子の流れが分析のために通過するチャンネルを有するフローセル（１１０）、レーザービームソース（１３１）から照射されるレーザビームをフローセル（１１０）に与えるためイルミネータアセンブリ（１３０）、及びセルにより散乱されかつ吸収されるビームに応答して光を測定するための検出器システム（１６４）から構成されるフローサイトメータであって、信号増幅、アナログ及びディジタル処理、及びテスト又は診断機能を実行するＤＡＴＡＣボード（１１５）及びこれと接続した分析装置コントローラ（１０５）を有し、検出器システムから発生した信号を処理して、血球等を測定するフローサイトメータ」の発明（以下、「刊行物１発明」という。）が記載されていると認められる。
　
　そこで、本願発明と刊行物１発明とを比較する。
（ア）刊行物１発明の「血球のような薄い浮遊粒子の流れ」は、本願発明の「粒子を含有する試料液」の「試料液流」に相当し、刊行物１発明の「血球のような薄い浮遊粒子の流れが分析のために通過するチャンネルを有するフローセル」は、本願発明の「粒子を含有する試料液を受入れて試料液流を形成するフローセル」に相当する。
（イ）刊行物１発明の「レーザービームソース」、「レーザービーム」は、本願発明の「光源」、「光」にそれぞれ相当する。
（ウ）刊行物１発明の「光を測定するための検出器システム」は、光を測定し信号を発生し、この信号は信号増幅やアナログ及びディジタル処理を行うＤＡＴＡＣボードで処理されるるものであることから、測定された光を電気信号に変換しているといえるから、本願発明の「光情報を検出して電気信号に変換する受光素子」に相当する。
（エ）刊行物１発明の「ＤＡＴＡＣボード（１１５）及びこれと接続した分析装置コントローラ（１０５）」は、信号増幅、アナログ及びディジタル処理、及びテスト又は診断機能を実行し、血球等を測定するものであるから、本願発明の「電気信号を処理して分析する分析部」に相当する。
　
　したがって、両者の間には、以下のような一致点及び相違点がある。
（一致点）
　粒子を含有する試料液を受入れて試料液流を形成するフローセルと、フローセル中の試料液流に光を照射する光源と、試料液中の粒子からの光情報を検出して電気信号に変換する受光素子と、電気信号を処理して分析する分析部と、を備えたフローサイトメータである点。
（相違点）
　本願発明が、試料液の温度を検出する温度センサと、温度センサの出力を受けて受光素子で得られた電気信号または分析部で得られた分析結果を補正する制御部を備えるものであるのに対して、刊行物１発明は、温度センサ及び温度センサの出力で測定値を補正をする制御部を備えていない点。
　
　そこで、上記相違点について検討する。
　刊行物２には、蛍光の重複を修正するための各種クロストーク補正技法が、元々は、フローサイトメトリーを使用する、細胞の多パラメーター蛍光監視において開発されたものであること、一方、フローサイトメトリーでは温度は一定に保たれているため、これらの技法は温度依存性クロスオーバー効果の変化に関する修正がなされていないことが記載されている（上記(2a)）。そして、フローサイトメトリーにおいては、温度の変化によりシース液の粘度が変化したり、細胞から発せられる蛍光強度が液温に大きく依存するため、温度が変化し測定値が不安定になるのを防ぐ必要があるという技術的課題が存在すること、及びその解決のために温度を一定に制御することは、刊行物２だけでなく、例えば、実願平１−６０６９０号（実開平２−１５０５５２号）のマイクロフィルムにも記載されるように本願優先日前に周知であったといえる。
　一方、刊行物２には、フローサイトメトリーとは異なり、温度を変化させる必要があるハイブリダイゼーションプローブを用いた分析においては、蛍光物質の蛍光値の温度依存性を、蛍光値獲得時の温度での蛍光較正係数で補正する必要があることが記載されている（上記(2b)(2c)）。さらに、本願明細書中で従来技術として引用された、特開平６−２０１５８５号公報（【０００３】、【０００４】、【００１１】）には、化学発光反応が行われる反応液を一定温度に保ち、周囲温度変化の影響を受けないようにすることが必要であるが、装置の複雑化等の問題があるため、温度を一定しすることに代えて、反応セルの近傍に温度センサーを設け、測定された温度に基づいて化学発光の強度を補正するようにすることが記載され、また同じく特開２００１−７４７４９号公報（【特許請求の範囲】、【０００３】）には、発光検出値を変動させる最大の要因が検出対象の温度変動であるため、自動分析装置において、発光測定前に用いられる試薬等の温度に基づいて検出値を補正すること、及び補正と併せて一部の試薬等を恒温化することが記載され、さらに、前置報告書で周知例として引用された特開平６−３２３９０７号公報(【０００８】、【００１３】）には、蛍光検出において、温度変化に伴い蛍光試料からの蛍光量が変動する等の問題があるため、温度を測定し補正することが記載されている。このように、蛍光測定や発光測定を伴う分析においては、測定値が温度の変化に影響されるため、温度を一定に保つか、或いは測定対象液体の温度を測定して測定値を補正する必要があり、装置構成等を考慮していずれかを採用することは、本願優先日前の周知技術であったといえる。
　そして、刊行物１発明のフローサイトメータは、測定対象の血球等を蛍光試薬等の試薬と反応させて測定することを含むものであるから（上記(1c)(1g)）、温度変化による蛍光測定値等の不安定化を防止する必要があるという、フローサイトメータにおける周知の技術的課題を有しているといえる。
　そうすると、刊行物１発明のフローサイトメータの発明において、上記課題を解決するために、上記のとおり周知の解決手段の一つである、試料液の温度を測定しそれに基づいて測定値を補正することを採用し、それに伴い試料液の温度を検出する温度センサと、温度センサの出力を受けて受光素子で得られた電気信号または分析部で得られた分析結果を補正する制御部を設けることは、当業者が容易になし得たものといえる。
　そして、試料液の厳密な温度管理が不要となるという本願発明の効果は、刊行物１、２、及び周知技術から予測しうるものである。
　
（３）むすび
　以上のとおり、本願発明は、刊行物１、刊行物２に記載された発明、及び周知技術にに基づいて、当業者が容易に発明をすることができたものであるから、特許法第２９条第２項の規定により特許を受けることができない。
　したがって、その他の請求項に係る発明についての判断を示すまでもなく本願は拒絶すべきものである。
　よって、結論のとおり審決する。